(57)【特許請求の範囲】
【請求項１】
有機ハイドライトを含む水素化燃料を吸熱反応によって水素と脱水素燃料に分離するリアクタと、水素および脱水素燃料の少なくとも一方が燃料として供給されるエンジンとを有する水素生成システムを備えた車両であって、
エンジンの排気通路に、排気ガス浄化触媒が配設されると共に、該排気ガス浄化触媒の下流側において前記リアクタが配設され、
前記排気通路に、前記排気ガス浄化触媒をバイパスすると共にその下流端が前記リアクタの上流側に開口されたバイパス通路が設けられ、
前記バイパス通路に、該バイパス通路を開閉する制御弁が設けられ、
前記排気ガス浄化触媒が活性化温度に達していないときに該制御弁が閉じられる一方、該排気ガス浄化触媒が活性化温度に達しておりかつ前記リアクタの温度が反応促進温度に達していないときに前記制御弁が開かれる、
ことを特徴とする水素生成システムを備えた車両。
【請求項２】
請求項１において、
前記リアクタで分離された水素を貯蔵しておくための水素タンクが設けられ、
前記制御弁はさらに、前記水素タンクでの水素貯蔵量が所定量よりも少ないことを条件として開かれる、
ことを特徴とする水素生成システムを備えた車両。
【請求項３】
請求項２において、
前記制御弁はさらに、エンジンの燃料として水素を使用していることを条件として開かれる、ことを特徴とする水素生成システムを備えた車両。
【発明の詳細な説明】
【技術分野】
【０００１】
本発明は、水素生成システムを備えた車両に関するものである。
【背景技術】
【０００２】
最近のエンジン、特に自動車用エンジンでは、排気ガスをより十分に浄化することが要求され、このような観点から、エンジンに供給する燃料として水素を使用する水素エンジンが注目されている。このような中、水素を多量かつ安全に貯蔵できしかも水素吸蔵合金による貯蔵方法に比して軽量ですむことから、有機ハイドライトが注目されている。すなわち、有機ハイドライトを、リアクタによって吸熱反応させることによって水素と脱水素燃料とに分離して、分離された水素を燃料としてエンジンに供給することが考えられている。上記有機ハイドライトを水素と脱水素燃料とに分離する反応は、吸熱反応となるため、リアクタをエンジンの排気通路に配設して、排気ガスの有する高熱を利用してリアクタでの反応（水素の分離）を行わせることが行われている。特許文献１〜３には、エンジンの排気通路に、前記リアクタを配設すると共に、該リアクタの下流側において排気ガス浄化触媒を配設する構造が開示されている。
【特許文献１】特開２００５−１４７１２４号公報
【特許文献２】特開２００６−１０４９９４号公報
【特許文献３】特開２００６−３１２９１０号公報
【発明の開示】
【発明が解決しようとする課題】
【０００３】
ところで、リアクタにおいて水素を分離させるための反応は吸熱反応になるため、リアクタを通過した排気ガスは、その温度が相当に低下されることになる。したがって、前述の各特許文献に記載のように、リアクタの下流側において排気ガス浄化触媒を配設したものにあっては、排気ガス浄化触媒をその活性化温度にまで上昇させるのに多大な時間を要することになってしまい、排気ガス浄化の上で問題を生じることになる。なお、排気通路に排気ガス浄化触媒を配設しないようにすることも考えられるが、たとえ水素のみを燃料として使用する場合でも、排気ガス中にＮＯｘがどうしても含まれることになるので、排気ガス浄化触媒そのものを廃止することは難しいものである。
【０００４】
本発明は以上のような事情を勘案してなされたもので、その目的は、水素を分離するためのリアクタおよび排気ガス浄化触媒をそれぞれ排気通路に配設する場合に、排気ガス浄化触媒を早期に活性化温度にまで上昇させることのできるようにした水素生成システムを備えた車両を提供することにある。
【課題を解決するための手段】
【０００５】
前記目的を達成するため、本発明にあっては次のような解決手法を採択してある。すなわち、特許請求の範囲における請求項１に記載のように、
有機ハイドライトを含む水素化燃料を吸熱反応によって水素と脱水素燃料に分離するリアクタと、水素および脱水素燃料の少なくとも一方が燃料として供給されるエンジンとを有する水素生成システムを備えた車両であって、
エンジンの排気通路に、排気ガス浄化触媒が配設されると共に、該排気ガス浄化触媒の下流側において前記リアクタが配設され、
前記排気通路に、前記排気ガス浄化触媒をバイパスすると共にその下流端が前記リアクタの上流側に開口されたバイパス通路が設けられ、
前記バイパス通路に、該バイパス通路を開閉する制御弁が設けられ、
前記排気ガス浄化触媒が活性化温度に達していないときに該制御弁が閉じられる一方、該排気ガス浄化触媒が活性化温度に達しておりかつ前記リアクタの温度が反応促進温度に達していないときに前記制御弁が開かれる、
ようにしてある。
【０００６】
上記解決手法によれば、排気ガス浄化触媒へは、リアクタを通過する前の高温の排気ガスが導入されるので、排気ガス浄化触媒を早期に活性化温度にまで上昇させることができる。また、バイパス通路を利用して、高温の排気ガスを排気ガス浄化触媒を通過させることなくリアクタに直接的に導入させることができるので、リアクタを早期に反応促進温度にまで上昇させることを優先させることが可能となる。そして、排気ガス浄化触媒が既に活性化温度にまで上昇されているときは、リアクタでの反応を優先した排気ガスの流れを得ることができる。
【０００７】
上記解決手法を前提とした好ましい態様は、特許請求の範囲における請求項２以下に記載のとおりである。すなわち、
前記リアクタで分離された水素を貯蔵しておくための水素タンクが設けられ、
前記制御弁はさらに、前記水素タンクでの水素貯蔵量が所定量よりも少ないことを条件として開かれる、ようにしてある（請求項２対応）。この場合、水素タンクでの水素貯蔵量が少ないときに、リアクタでの水素生成（水素分離）を積極的に行うようにして、水素タンクへ水素を補充することができる。
【０００８】
前記制御弁はさらに、エンジンの燃料として水素を使用していることを条件として開かれる、ようにしてある（請求項３対応）。この場合、消費される水素を補充するためにリアクタでの反応を優先した排気ガスの流れを得ることができる。
【発明の効果】
【０００９】
本発明によれば、水素を分離するためのリアクタおよび排気ガス浄化触媒をそれぞれ排気通路に配設した場合に、排気ガス浄化触媒を早期に活性化温度にまで上昇させることができる。
【発明を実施するための最良の形態】
【００１０】
図１において、１はエンジン（エンジン本体）で、実施形態では、バンケル式とされた２ロータのロータリピストンエンジンとされている。エンジン１へ吸気を供給する吸気通路２には、スロットル弁３が配設され、スロットル弁３の下流側において、第１燃料噴射弁４が配設されている。この第１燃料噴射弁４は、後述するように、有機ハイドライトから分離された脱水素燃料としてのトルエンを噴射するものとなっている（ポート噴射）。
【００１１】
エンジン１の排気通路１１には、その上流側から下流側へ順次、排気ガス浄化触媒１２（実施形態では三元触媒）、リアクタ１３が配設されている。リアクタ１３は、脱水素反応器で、有機ハイドライトとしてのメチルシクロヘキサンが供給されたときに、排気ガスの有する高熱を吸熱した吸熱反応によって、トルエンと水素に分離するものである。リアクタ１３は、通路１４を介して、メチルシクロヘキサンを貯溜したメチルシクロヘキサンタンク１５に接続され、この通路１４には、リアクタ１３に向けてメチルシクロヘキサンを供給するためのポンプ１６が接続されている。
【００１２】
前記リアクタ１３は、通路２１を介して、気液分離装置２２に接続されている。すなわち、リアクタ１３で分離された水素とトルエンとが混在した状態でもって、通路２１を介して気液分離装置２２に供給され、この気液分離装置２２でもって水素（ガス）と脱水素燃料としてのトルエン（液体）とに分離される。この気液分離装置２２で分離された水素は、ポンプ２３が接続された通路２４を介して、水素タンク２５に供給、貯溜される。また、気液分離装置２２で分離されたトルエンは、通路２６を介してトルエンタンク２７に供給、貯溜される。
【００１３】
上記水素タンク２５は、通路３１を介して第２燃料噴射弁３２に接続されており、この通路３１には、元弁３３，レギュレータ３４が接続されている。上記第２燃料噴射弁３２は、燃焼室（ロータ室）に直接水素を噴射するものとなっている。上記元弁３３は、イグニッションスイッチがＯＦＦされたときに閉弁される一方、イグニッションスイッチがＯＮされたときに開弁されるようになっている。上記レギュレータ３４は、水素タンク２５に貯溜されている高圧の水素を、所定の一定圧力にまで低下させるものである。
【００１４】
前記トルエンタンク２７は、通路４１を介して前記第１燃料噴射弁４に接続されて、この通路４１には、元弁４２，ポンプ４３が接続されている。元弁４２は、イグニッションスイッチがＯＦＦされたときに閉弁される一方、イグニッションスイッチがＯＮされたときに開弁されるようになっている。上記ポンプ４３は、トルエンタンク２７内のトルエンを第１燃料噴射弁４に供給するためのものである。
【００１５】
前記吸気通路２と排気通路１１とは、ＥＧＲ弁６１が接続されたＥＧＲ通路６２によって接続されている。このＥＧＲ通路６２は、その上流端がエンジン１とは排気ガス浄化触媒１２との間において排気通路１１に開口され、その下流端が、スロットル弁３の下流でかつ第１燃料噴射弁４の上流側において吸気通路２に開口されている。
【００１６】
排気通路１１には、制御弁５１が接続されたバイパス通路５２が設けられている。このバイパス通路５２は、排気ガス浄化触媒１２をバイパスするもので、その上流端が、ＥＧＲ通路６２が排気通路１１へ開口する部位よりも下流側でかつ排気ガス浄化触媒１２の上流側において排気通路１１に開口され、その下流端が、排気ガス浄化触媒１２とリアクタ１３との間において排気通路１１に開口されている。なお、制御弁５１は、電磁式の開閉弁によって構成されて、後述のようにして開閉制御される。
【００１７】
図２は、本発明における制御系統例を示すものであり、図中Ｕは、マイクロコンピュータを利用して構成されたコントローラ（制御ユニット）である。このコントローラＵには、各種センサＳ１〜Ｓ５からの信号が入力される。センサＳ１は、リアクタ１３の温度を検出する温度センサである。センサＳ２は、排気ガス浄化触媒１２の温度を検出する温度センサである。センサＳ３は、トルエンタンク２７内のトルエンの残量（貯溜量）を検出する残量センサである。センサＳ４は、水素タンク２５内の圧力を検出する圧力センサで、貯溜水素量を検出するものとなっている。センサＳ５は、メチルシクロヘキサンタンク１５内のメチルシクロヘキサンの残量（貯溜量）を検出する残量センサである。また、コントローラＵは、前述した各センサＳ１〜Ｓ５での検出結果に応じて、各燃料噴射弁４，３２，各元弁３３，４２，および制御弁５１を制御する。
【００１８】
次に、図３，図４に示すフローチャートを参照しつつ、コントローラＵの制御内容について使用燃料の使い分けの制御（図３）と、制御弁５１の開閉制御（図４）とに着目して説明する。なお、以下の説明でＱはステップを示す。
【００１９】
まず、図３から説明すると、Ｑ１において、センサＳ３で検出されるトルエンタンク２７に貯溜されているトルエン量が、あらかじめ設定された所定量以上であるか否かが判別される。このＱ１の判別でＮＯのとき、すなわちトルエンタンク２７内のトルエン貯溜量が少ないときは、Ｑ２において、センサＳ５で検出されるメチルシクロヘキサンタンク１５内に貯溜されているメチルシクロヘキサンの貯溜量が、あらかじめ設定された所定量以下であるか否かが判別される。このＱ２の判別でＮＯときは、使用燃料として水素が選択される（第２燃料噴射弁３２からの水素噴射実行で、第１燃料噴射弁４は休止）。
【００２０】
前記Ｑ１の判別でＹＥＳのとき、あるいはＱ２の判別でＹＥＳのときは、それぞれＱ４に移行して、使用燃料としてトルエンが選択される（第１燃料噴射弁４からのトルエン噴射実行で、第２燃料噴射弁３２は休止）。このように、基本的に、メチルシクロヘキサンタンク１５内にメチルシクロヘキサンが十分に貯溜されている状態（リアクタ１３を利用して水素を十分に得ることができる状態）では、使用燃料として水素を用いる制御が優先される。ただし、トルエンタンク２７内のトルエン貯溜量が多いときは、燃料としてトルエンを優先的に使用する制御態様に変更される。
【００２１】
次に、図４のフローチャートについて説明すると、まずＱ１１において、温度センサＳ２で検出される排気ガス浄化触媒１２の温度が、所定温度（実施形態では活性化温度に設定）以下であるか否かが判別される。このＱ１１の判別でＹＥＳのときは、排気ガス浄化触媒１２の温度を早期に上昇させるべく、Ｑ１２において、制御弁５１が閉弁される（排気ガスは、バイパス通路５２からバイパスされることなく、全て排気ガス浄化触媒１２を通過される態様）。
【００２２】
前記Ｑ１１の判別でＮＯのとき、つまり排気ガス浄化触媒１２によって排気ガス浄化を十分に行うことが可能な状態のときは、Ｑ１３において、センサＳ１で検出されるリアクタ１３の温度が所定温度（反応温度）以下であるか否かが判別される。このＱ１３の判別でＹＥＳのときは、Ｑ１４において、センサＳ４で検出される水素タンク２５内の貯溜量が所定量以下の少量であるか否かが判別される。このＱ１４の判別でＹＥＳのときは、Ｑ１５において、現在使用燃料として水素が選択されているか否かが判別される（図３のＱ３の処理がおこなわれている状態であるか否かの判別）。このＱ１５の判別でＹＥＳのときは、Ｑ１６において、制御弁５１が開弁される。この制御弁５１の開弁によって、排気ガスは、排気ガス浄化触媒１２を実質的に通過することなく（排気ガス浄化触媒１２の通路抵抗が大のため）、バイパス通路５２からリアクタ１３へ直接導入される。これにより、リアクタ１３が早期にその反応温度にまで上昇されて、リアクタ１３による水素分離が促進されることになる。
【００２３】
前記Ｑ１３の判別でＮＯのとき、Ｑ１４の判別でＮＯのとき、あるいはＱ１５の判別でＮＯのときは、それぞれＱ１２へ移行される。図４の制御例から明かなように、基本的に、排気ガス浄化触媒１２が活性化温度にまで上昇していないときは、制御弁５１を閉弁して、高温の排気ガスを排気ガス浄化触媒１２に導入させて、その早期活性化が図られる（排気ガス浄化を優先）。一方、排気ガス浄化触媒１２の温度が十分に上昇しているときは、リアクタ１３の温度が十分に上昇していないことを前提に、リアクタ１３の温度を上昇させる方向の制御に変更される。ただし、水素タンク２７内に多量の水素が貯溜されているか、または現在使用燃料として水素が使用されていないときは、リアクタ１３によって水素を積極的に分離させる必要がないので、このときは制御弁５１を閉じて、排気ガス浄化触媒１２の温度が活性化温度以上の高温状態を維持する方向の制御とされる。
【００２４】
以上実施形態について説明したが、本発明は、実施形態に限定されるものではなく、特許請求の範囲の記載された範囲において適宜の変更が可能であり、例えば次のような場合をも含むものである。有機ハイドライトとしては、メチルシクロヘキサン系に限らず、例えばデリカン系（ナフタレンと水素に分離）やシクロヘキサン系（ベンゼンと水素に分離）等、適宜のものを用いることができる。ただし、メチルシクロヘキサン系の有機ハイドライトは、常温、常圧（大気圧）でもって液体状態であり、しかも分離されるトルエンはガソリンの性状に近いので、もっとも好ましいものである。
【００２５】
リアクタ１３で分離される水素と脱水素燃料とは、いずれか一方を選択的に使用燃料として用いる他、混合状態で使用したり、あるいは水素のみを使用することもできる。分離された水素のみを燃料として使用する場合は、燃料として使用されない脱水素燃料を一時的にタンクに蓄えておき（トルエンタンク２７が相当）、有機ハイドライトを貯溜するタンク（実施形態ではメチルシクロヘキサンタンク１５に相当）に有機ハイドライトを補充するときに、脱水素燃料をその貯溜タンクから除去するようにすればよい（タンク毎交換することも可能）。排気ガス浄化触媒１２は、もっぱらＮＯｘを除去するものであってもよい（特に水素のみを燃料として使用する場合）。
【００２６】
リアクタ１３で分離された水素と脱水素燃料とを選択的に燃料として使用するときは、例えばエンジン１の運転状態に応じて使用燃料を選択することができ（例えば高負荷時には脱水素燃料を使用し、低負荷時には水素を使用する）、あるいは走行環境状態に応じて使用燃料を選択することもできる（例えば郊外では脱水素燃料を使用し、市街地では水素を使用する）、さらに運転者により操作されるマニュアルスイッチの操作状態に応じて使用燃料を選択するようにする等、適宜の手法によって使用燃料を使い分けすることができる。
【００２７】
バイパス通路５２を別途有しないものであってもよい。エンジン１としては、往復動型のエンジンであってもよい。勿論、本発明の目的は、明記されたものに限らず、実質的に好ましいあるいは利点として表現されたものを提供することをも暗黙的に含むものであり、また方法（水素の生成および供給方法）の発明として把握することも可能である。
【図面の簡単な説明】
【００２８】
【図１】本発明の一実施形態を示す全体系統図。
【図２】本発明の制御系統をブロック図的に示す図。
【図３】本発明の制御例を示すフローチャート。
【図４】本発明の制御例を示すフローチャート。
【符号の説明】
【００２９】
１：エンジン
２：吸気通路
４：第１燃料噴射弁（脱水素燃料としてのトルエン噴射用）
１１：排気通路
１２：排気ガス浄化触媒
１３：リアクタ
１５：メチルシクロヘキサンタンク（有機ハイドライト貯溜用）
２２：気液分離装置
２５：水素タンク
２７：トルエンタンク（脱水素燃料貯溜用）
３２：第２燃料噴射弁（水素噴射用）
５１：制御弁
５２：バイパス通路
【図１】
0004924328.tif 000002
【図２】
0004924328.tif 000003
【図３】
0004924328.tif 000004
【図４】
0004924328.tif 000005